【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
硫黄含有炭素質燃料の燃焼に際して雰囲気中に放出される硫黄ガスの量を低減する方法であって、
硝酸カルシウム、亜硝酸カルシウムまたはその両方を含んでなる吸着剤組成物を、炭素質燃料上に付与する工程と、
付与された吸着剤と共に炭素質燃料を燃焼させる工程と
を含む、方法。
【請求項２】
吸着剤組成物は、亜硝酸カルシウムと硝酸カルシウムとを含んでなる、請求項１に記載の方法。
【請求項３】
吸着剤組成物は、臭化カルシウムをさらに含んでなる、請求項１に記載の方法。
【請求項４】
硝酸カルシウムと亜硝酸カルシウムとを含んでなる水溶液を、燃料上に付与することを含む、請求項１に記載の方法。
【請求項５】
６乾燥重量％までの吸着剤組成物を、燃料上に添加することを含む、請求項１に記載の方法。
【請求項６】
３乾燥重量％までの吸着剤組成物を、燃料上に付与することを含む、請求項１に記載の方法。
【請求項７】
１.５乾燥重量％までの吸着剤組成物を、燃料上に付与することを含む、請求項１に記載の方法。
【請求項８】
吸着剤組成物は、二酸化ケイ素、酸化アルミニウム、酸化カルシウムおよび酸化鉄をさらに含んでなる、請求項１に記載の方法。
【請求項９】
吸着剤は、酸化マグネシウムをさらに含んでなる、請求項８に記載の方法。
【請求項１０】
酸化ケイ素、酸化アルミニウム、酸化カルシウムおよび酸化鉄を含んでなる粉末組成物を、炭素質燃料上に添加することを含む、請求項８に記載の方法。
【請求項１１】
粉末組成物は、ポルトランドセメントを含んでなる、請求項１０に記載の方法。
【請求項１２】
粉末組成物は、ドロマイトおよび焼成ドロマイトからなる群から選択されるドロマイト物質を含んでなる、請求項１０に記載の方法。
【請求項１３】
硝酸カルシウムと亜硝酸カルシウムとを含んでなる水溶液を、粒状炭素質燃料上に付与する工程と、
粉末組成物を、該湿った燃料上に添加する工程と
を含む、請求項１０に記載の方法。
【請求項１４】
燃料は、褐炭を含んでなる、請求項１に記載の方法。
【請求項１５】
燃料は、瀝青炭を含んでなる、請求項１に記載の方法。
【請求項１６】
燃料は、無煙炭を含んでなる、請求項１に記載の方法。
【請求項１７】
硫黄含有炭素質燃料の燃焼に際して雰囲気中に放出される硫黄ガスの量を低減する方法であって、
２０〜５０重量％のポルトランドセメントと、
２０〜４０重量％の酸化カルシウムと、
１５〜２５重量％のドロマイトおよび焼成ドロマイトからなる群から選択されるドロマイト物質と、
５〜１５重量％のアルミノケイ酸塩粘土と
を含んでなる粉末吸着剤組成物を、炭素質燃料上に付与する工程と、
付与された粉末吸着剤と共に炭素質燃料を燃焼させる工程と
を含む、方法。
【請求項１８】
粘土は、カルシウムモンモリロナイト、カオリンまたはそれらの組合せを含んでなる、請求項１７に記載の方法。
【請求項１９】
吸着剤組成物は、約３０重量％のポルトランドセメントと、約４０重量％の酸化カルシウムと、約２０重量％のドロマイトと、約１０重量％の粘土とを含んでなる、請求項１７に記載の方法。
【請求項２０】
吸着剤組成物は、硝酸カルシウムおよび亜硝酸カルシウムからなる群から選択される少なくとも一つの酸化性塩をさらに含んでなる、請求項１７に記載の方法。
【請求項２１】
水溶液中に、少なくとも一つの酸化性塩を付与することを含む、請求項２０に記載の方法。
【請求項２２】
炭素質燃料は、石炭を含んでなる、請求項１７に記載の方法。
【請求項２３】
石炭は、４重量％未満の硫黄を含んでなる、請求項２２に記載の方法。
【請求項２４】
石炭は、３重量％未満の硫黄を含んでなる、請求項２２に記載の方法。
【請求項２５】
石炭は、２重量％未満の硫黄を含んでなる、請求項２２に記載の方法。
【請求項２６】
石炭は、４重量％超の硫黄を含んでなる、請求項２２に記載の方法。
【請求項２７】
６重量％までの吸着剤組成物を、燃料上に付与することを含む、請求項１７に記載の方法。
【請求項２８】
硝酸カルシウムおよび亜硝酸カルシウムの少なくとも一つを含んでなる固体と、水とを含んでなる液体吸着剤を、さらに付与することを含む、請求項２７に記載の方法。
【請求項２９】
炭素質燃料の重量に基づいて、３重量％までの粉末組成物と、１.５重量％までの液体吸着剤中の固体とを付与することを含む、請求項２８に記載の方法。
【請求項３０】
硫黄および／または水銀を含有する炭素質燃料の燃焼に際して雰囲気中に放出される硫黄ガスおよび／または水銀を低減する方法であって、
ポルトランドセメントと、
少なくとも一つの水溶性塩素含有無機化合物と、
酸化カルシウムと、
必要に応じてアルミノケイ酸塩粘土と、
ケイ酸ナトリウム、ケイ酸カリウム、水酸化ナトリウム、水酸化カリウム、酸化ナトリウムおよび酸化カリウムからなる群から選択されるアルカリ金属塩と
を含んでなる粉末吸着剤組成物を、炭素質燃料上に付与する工程と、
炭素質燃料を燃焼させる工程と
を含む、方法。
【請求項３１】
少なくとも一つの塩素含有無機化合物は、塩化ナトリウム、塩化カリウム、塩素酸ナトリウムおよび塩素酸カリウムからなる群から選択される可溶性塩を含んでなる、請求項３０に記載の方法。
【請求項３２】
粘土は、メタカオリンを含んでなる、請求項３０に記載の方法。
【請求項３３】
粉末組成物は、
２０〜３０重量％のポルトランドセメントと、
２〜５重量％の水溶性塩素含有無機化合物と、
２０〜４０重量％の酸化カルシウムと、
２０〜３０重量％の粘土と、
１〜９重量％のアルカリ金属塩と
を含んでなる、請求項３０に記載の方法。
【請求項３４】
吸着剤組成物は、アルカリ金属硝酸塩、アルカリ金属亜硝酸塩、アルカリ土類金属硝酸塩およびアルカリ土類金属亜硝酸塩からなる群から選択される少なくとも一つの酸化性塩をさらに含んでなる、請求項３０に記載の方法。
【請求項３５】
酸化性塩は、硝酸カルシウム、亜硝酸カルシウムまたはそれらの組合せを含んでなる、請求項３４に記載の方法。
【請求項３６】
アルカリ金属硝酸塩、アルカリ金属亜硝酸塩、アルカリ土類金属硝酸塩およびアルカリ土類金属亜硝酸塩からなる群から選択される少なくとも一つの酸化性塩を含んでなる液体吸着剤を、炭素質燃料上にさらに付与することを含む、請求項３０に記載の方法。
【請求項３７】
酸化性塩は、硝酸カルシウム、亜硝酸カルシウムおよびそれらの組合せからなる群から選択される、請求項３６に記載の方法。
【請求項３８】
ケイ酸カリウム、ケイ酸ナトリウム、水酸化カリウムおよび水酸化ナトリウムからなる群から選択される少なくとも一つのアルカリ金属塩と、水とを含んでなる液体吸着剤を、炭素質燃料上にさらに付与することを含む、請求項３０に記載の方法。
【請求項３９】
炭素質燃料の重量に基づいて、６重量％までの粉末組成物を付与することを含む、請求項３０に記載の方法。
【請求項４０】
炭素質燃料は、石炭を含んでなる、請求項３０に記載の方法。
【請求項４１】
石炭は、褐炭を含んでなる、請求項４０に記載の方法。
【請求項４２】
石炭は、瀝青炭を含んでなる、請求項４０に記載の方法。
【請求項４３】
石炭は、無煙炭を含んでなる、請求項４０に記載の方法。
【請求項４４】
石炭は、２重量％以上の硫黄を含んでなる、請求項４０に記載の方法。
【請求項４５】
石炭は、３重量％以上の硫黄を含んでなる、請求項４０に記載の方法。
【請求項４６】
石炭は、４重量％以上の硫黄を含んでなる、請求項４０に記載の方法。
【請求項４７】
硫黄含有石炭の燃焼に際して雰囲気中に放出される硫黄ガスを低減する方法であって、
可溶性金属硝酸塩および可溶性金属亜硝酸塩からなる群から選択される少なくとも一つの可溶性塩を含んでなる固体と、水とを含んでなる液体吸着剤を、石炭上に付与する工程と、
カルシウムを含んでなる粉末吸着剤組成物を、石炭上に付与する工程とを含み、
ここで貯蔵エネルギーを放出するための石炭の燃焼に際して、液体吸着剤および粉末吸着剤を付与することなく石炭を燃焼した場合に製造される量に比べて、燃焼生成物中の硫黄ガスの量は低減し、および灰中の硫黄の量は増大する、
方法。
【請求項４８】
液体吸着剤は、アルカリ金属硝酸塩、アルカリ金属亜硝酸塩、アルカリ土類金属硝酸塩、アルカリ金属亜硝酸塩またはそれらの組合せを含んでなる、請求項４７に記載の方法。
【請求項４９】
液体吸着剤は、硝酸カルシウムと亜硝酸カルシウムとを含んでなる、請求項４７に記載の方法。
【請求項５０】
６重量％までの固体と、６重量％までの粉末吸着剤とを付与することを含む、請求項４７に記載の方法。
【請求項５１】
３重量％までの固体と、３重量％までの粉末吸着剤とを付与することを含む、請求項４７に記載の方法。
【請求項５２】
粉末吸着剤組成物は、ケイ素、アルミニウム、カルシウム、鉄およびマグネシウムを含んでなる、請求項４７に記載の方法。
【請求項５３】
粉末吸着剤組成物は、
ポルトランドセメントと、
酸化カルシウムと、
必要に応じてアルミノケイ酸塩粘土と、
ドロマイトおよび焼成ドロマイトからなる群から選択されるドロマイト物質と
を含んでなる、請求項４７に記載の方法。
【請求項５４】
粉末吸着剤組成物は、
ポルトランドセメントと、
酸化カルシウムと、
少なくとも一つの水溶性塩素含有無機化合物と、
アルミノケイ酸塩粘土と、
ケイ酸カリウム、ケイ酸ナトリウム、水酸化カリウム、水酸化ナトリウム、酸化カリウムおよび酸化ナトリウムからなる群から選択される少なくとも一つのアルカリ金属塩と
を含んでなる、請求項４７に記載の方法。